(57)【要約】【課題】外扉と自動販売機本体との隙間を塞ぐための補強部材を用いることなく不正行為を効果的に防止することのできる自動販売機を提供する。【解決手段】前後方向少なくとも一部が自動販売機本体１０の前面開口部内に位置するように外扉２０を設けるとともに、外扉２０を開放方向に回動した際に自動販売機本体１０の幅方向一端側開口縁との当接を回避するように屈曲した扉側連結部材３２を介して外扉２０の幅方向一端側と自動販売機本体内１０に配置した連結軸３３とを連結したので、外扉２０の背面と自動販売機本体１０の前面との間の隙間を外部に露出させずに自動販売機本体１０の前面をほぼ完全に開放することができ、外扉２０の背面と自動販売機本体１０の前面との間の隙間を塞ぐための扉補強部材を用いることなく不正行為を効果的に防止することができる。【選択図】図５
2005292916.tif 000002
【特許請求の範囲】
【請求項１】
前面を開口した自動販売機本体と、自動販売機本体の前面開口部を開閉する外扉とを備え、外扉の幅方向一端側を自動販売機本体に回動自在に支持するようにした自動販売機において、
前記外扉をその前後方向少なくとも一部が自動販売機本体の前面開口部内に位置するように設けるとともに、
外扉の幅方向一端側と自動販売機本体内に配置した連結軸とを、外扉を開放方向に回動した際に自動販売機本体の幅方向一端側開口縁との当接を回避するように屈曲した連結部材を介して回動自在に連結した
ことを特徴とする自動販売機。
【請求項２】
前記連結軸に対する連結部材の回動中心から外扉の幅方向一端側の側面までの距離を連結軸に対する連結部材の回動中心から自動販売機本体の幅方向一端側開口縁までの距離よりも大きく形成した
ことを特徴とする請求項１記載の自動販売機。
【請求項３】
前記連結部材を外扉の上端側から下端側に亘って延びるように形成した
ことを特徴とする請求項１または２記載の自動販売機。
【請求項４】
前面を開口した自動販売機本体と、自動販売機本体の前面開口部を開閉する外扉とを備え、外扉の幅方向一端側を自動販売機本体に回動自在に支持するとともに、外扉の幅方向一端側の背面に自動販売機本体の幅方向一端側の側面と外扉の幅方向一端側の側面との隙間を塞ぐ補強部材を設けた自動販売機において、
前記外扉の幅方向一端側と自動販売機本体内に配置した連結軸とを、外扉を開放方向に回動した際に自動販売機本体の幅方向一端側開口縁との当接を回避するように屈曲した連結部材を介して回動自在に連結した
ことを特徴とする自動販売機。
【請求項５】
前記連結軸に対する連結部材の回動中心から外扉の幅方向一端側の背面までの距離を連結軸に対する連結部材の回動中心から自動販売機本体の幅方向一端までの距離よりも大きく形成した
ことを特徴とする請求項４記載の自動販売機。
【発明の詳細な説明】
【技術分野】
【０００１】
本発明は、自動販売機本体の前面開口部を開閉する回動自在な外扉を備えた自動販売機に関するものである。
【背景技術】
【０００２】
従来、この種の自動販売機としては、前面を開口した自動販売機本体と、自動販売機本体の前面を開閉する外扉とを備え、外扉の幅方向一端側の上端を自動販売機本体の上面に取付けた支持板に回動自在に支持され、その下端を自動販売機本体の底面前端側に上方に延びるように設けられた支軸に回動自在に挿入されたものが知られている。しかしながら、この自動販売機においては、外扉の上端面と支持板との間及び外扉の下端面と自動販売機本体との間には、それぞれ隙間が設けられているため、外扉の支軸を切断工具によって切断して外扉を強制的に開放し、内部の金銭や商品を盗み出すといった不正行為を防止することができないという欠点があった。
【０００３】
そこで、外扉の内側の上端側及び下端側に設けられた連結軸と、自動販売機本体の内側の上端側及び下端側に固定された連結部材とをそれぞれ回動自在に連結することにより、連結軸及び連結部材を自動販売機の外部に露出させずに自動販売機本体に外扉を支持するようにしたものが知られている（例えば、特許文献１参照）。
【特許文献１】特開２００２−１５０３８７号公報
【発明の開示】
【発明が解決しようとする課題】
【０００４】
ところで、前述のように外扉の内側に設けられた連結軸と、自動販売機本体内に設けられた連結部材とを連結したものでは、外扉と自動販売機本体の隙間を塞ぐため、外扉の背面側の外縁部から後方に延びる補強部材を設けているが、補強部材には連結部材を挿通する切り欠きが設けられているため、補強部材の強度が低下し、自動販売機本体と外扉との間の隙間から異物を挿入して外扉を変形させることによる不正行為の防止効果が損なわれるという問題点があった。
【０００５】
本発明は前記問題点に鑑みてなされたものであり、その目的とするところは、外扉と自動販売機本体との隙間を塞ぐための補強部材を用いることなく不正行為を効果的に防止することのできる自動販売機を提供することにある。また、他の目的とするところは、外扉と自動販売機本体との隙間を塞ぐための補強部材を用いる場合であっても不正行為を効果的に防止することのできる自動販売機を提供することにある。
【課題を解決するための手段】
【０００６】
本発明は前記目的を達成するために、前面を開口した自動販売機本体と、自動販売機本体の前面開口部を開閉する外扉とを備え、外扉の幅方向一端側を自動販売機本体に回動自在に支持するようにした自動販売機において、前記外扉をその前後方向少なくとも一部が自動販売機本体の前面開口部内に位置するように設けるとともに、外扉の幅方向一端側と自動販売機本体内に配置した連結軸とを、外扉を開放方向に回動した際に自動販売機本体の幅方向一端側開口縁との当接を回避するように屈曲した連結部材を介して回動自在に連結している。
【０００７】
これにより、外扉の前後方向少なくとも一部が自動販売機の前面開口部内に位置していることから、外扉が閉鎖された状態では外扉の背面と自動販売機本体の前面との間の隙間が露出することがない。また、自動販売機本体内に配置された連結軸と外扉とを連結する連結部材が自動販売機本体の幅方向一端側開口縁との当接を回避するように屈曲していることから、連結部材が自動販売機本体に当接することなく外扉が開放される。
【０００８】
また、本発明では、前面を開口した自動販売機本体と、自動販売機本体の前面開口部を開閉する外扉とを備え、外扉の幅方向一端側を自動販売機本体に回動自在に支持するとともに、外扉の幅方向一端側の背面に自動販売機本体の幅方向一端側の側面と外扉の幅方向一端側の側面との隙間を塞ぐ補強部材を設けた自動販売機において、前記外扉の幅方向一端側と自動販売機本体内に配置した連結軸とを、外扉を開放方向に回動した際に自動販売機本体の幅方向一端側開口縁との当接を回避するように屈曲した連結部材を介して回動自在に連結している。
【０００９】
これにより、自動販売機本体内に配置された連結軸と連結する連結部材が自動販売機本体の幅方向一端側開口縁との当接を回避するように屈曲していることから、外扉の背面側と自動販売機本体の前面との間の隙間を塞ぐための補強部材に切り欠きを設けなくとも、連結部材が自動販売機本体に当接することなく外扉が開放される。
【発明の効果】
【００１０】
本発明によれば、外扉が閉鎖された状態では外扉の背面と自動販売機本体の前面との間の隙間が露出することがないので、外扉の背面と自動販売機本体の前面との間の隙間を塞ぐための補強部材を用いることなく不正行為を効果的に防止することができる。
【００１１】
また、本発明によれば、外扉の背面側と自動販売機本体の前面との間の隙間を塞ぐための補強部材に切り欠きを設けなくとも連結部材が自動販売機本体に当接することなく外扉が開放されるので、不正行為を効果的に防止することができる。
【発明を実施するための最良の形態】
【００１２】
図１乃至図５は本発明の第１の実施形態を示すもので、図１は自動販売機の斜視図、図２は外扉を開放した状態を示す自動販売機の斜視図、図３は自動販売機の正面図、図４は自動販売機の要部平面図、図５は外扉を開放した状態を示す自動販売機の要部平面図である。
【００１３】
この自動販売機は前面を開口した自動販売機本体１０と、自動販売機本体１０の前面を開閉する外扉２０と、自動販売機本体１０及び外扉２０の幅方向一端側の上端側及び下端側に設けられ、自動販売機本体１０と外扉２０とを連結する連結機構３０とから構成されている。
【００１４】
自動販売機本体１０はその前面を内扉１１によって開閉する断熱性の商品収納庫１２と、商品収納庫１２の下方に設けられた機械室１３とを備え、機械室１３内には図示しない冷却装置及び電装ユニットが収納されている。
【００１５】
外扉２０は、自動販売機本体１０の前面開口部よりも幅方向及び上下方向にやや小さく形成され、自動販売機本体１０の前面の閉鎖時に自動販売機本体１０の前面開口部内に位置するようになっており、その幅方向一端側を自動販売機本体１０の前面側に回動自在に支持されている。また、外扉２０の前面には、商品サンプル２０ａ、商品選択スイッチ２０ｂ、硬貨投入口２０ｃ、紙幣投入口２０ｄ、返却レバー２ｅ、金額表示部２ｆ、硬貨返却口２０ｇ及び商品取出口２０ｈを備えている。
【００１６】
各連結機構３０は、自動販売機本体１０に固定された上下一対の本体側連結部材３１と、上下一対の本体側連結部材３１の間に配置され、外扉２０に固定された扉側連結部材３２と、一対の本体側連結部材３１と扉側連結部材３２を回動自在に連結する連結軸３３とから構成されている。
【００１７】
本体側連結部材３１は、板状部材の前端側を円筒状に曲げることにより軸受部３１ａが形成され、その後端側には固定片３１ｂが設けられている。本体側連結部材３１の固定片３１ｂは、自動販売機本体１０内の幅方向一端側の側面に固定された補強部材１４にボルトまたは溶接により固定されている。このとき、本体側連結部材３１の軸受部３１ａは自動販売機本体１０内に位置するようになっている。
【００１８】
扉側連結部材３２は、板状部材を断面略Ｌ字状に屈曲することにより形成され、その一端側は外扉２０の側面に固定され、他端側には端部を円筒状に曲げることにより軸受部３２ａが形成されている。このとき、扉側連結部材３２は外扉２０の上端側から下端側に亘って延びるように形成されている。また、扉側連結部材３２の軸受部３２ａの中心と外扉２０の側面との距離Ａ1 は本体側連結部材３１の軸受部３１ａの中心と自動販売機本体１０の幅方向一端側開口縁との距離Ａ2 よりも大きく形成されている。
【００１９】
連結軸３３は、上下方向に延びる棒状の部材からなり、互いに上下方向に配置された一対の本体側連結部材３１及び扉側連結部材３２の軸受部３１ａ，３２ａに連結軸３３を挿通することによって、本体側連結部材３１及び扉側連結部材３２を回動自在に連結している。
【００２０】
以上のように構成された自動販売機において、外扉２０を開放すると、図５に示すように、扉側連結部材３２の軸受部３２ａの中心と外扉２０の側面との距離Ａ1 は本体側連結部材３１の軸受部３１ａの中心と自動販売機本体１０の幅方向一端側開口縁との距離Ａ2 よりも大きく形成されているので、自動販売機本体１０の幅方向一端側開口縁と外扉２０の側面が接触することはない。また、扉側連結部材３２は断面Ｌ字状に形成されているので、自動販売機本体１０の前面開口部の内面と扉連結部材３２とが接触するまで外扉２０を回動すると、自動販売機本体１０の前面はほぼ完全に開放され、商品の補充等の作業を行うことが可能となる。
【００２１】
このように、本実施形態の自動販売機によれば、前後方向少なくとも一部が自動販売機本体１０の前面開口部内に位置するように外扉２０を設けるとともに、外扉２０を開放方向に回動した際に自動販売機本体１０の幅方向一端側開口縁との当接を回避するように屈曲した扉側連結部材３２を介して外扉２０の幅方向一端側と自動販売機本体内１０に配置した連結軸３３とを連結したので、外扉２０の背面と自動販売機本体１０の前面との間の隙間を外部に露出させずに自動販売機本体１０の前面をほぼ完全に開放することができ、外扉２０の背面と自動販売機本体１０の前面との間の隙間を塞ぐための扉補強部材を用いることなく不正行為を効果的に防止することができる。
【００２２】
また、扉側連結部材３２の軸受部３２ａの中心と外扉２０の側面との距離Ａ1 は本体側連結部材３１の軸受部３１ａの中心と自動販売機本体１０の幅方向一端側開口縁との距離Ａ2 よりも大きく形成されているので、自動販売機本体１０の前面はほぼ完全に開放するように外扉２０を回動させることができ、メンテナンスまたは商品の補充等の作業を効率的に行うことができる。
【００２３】
また、扉側連結部材３２を外扉２０の上端側から下端側に亘って延びるように形成したので、外扉２０の外周面と自動販売機本体１０の前面開口部の間の隙間から自動販売機本体１０内への異物の挿入を防止することができ、不正行為を更に効果的に防止することができる。
【００２４】
図６乃至図８は本発明の第２の実施形態を示すもので、図６は外扉を開放した状態を示す自動販売機の斜視図、図７は自動販売機の要部平面図、図８は外扉を開放した状態を示す自動販売機の要部平面図である。尚、前記第１の実施形態と同等の構成部分には同一の符号を付して示す。
【００２５】
本実施形態の自動販売機は、外扉４０を自動販売機本体１０の前面の外形と同等に形成し、外扉４０は自動販売機本体１０の前面に位置するように自動販売機本体１０に連結機構５０によって連結され、自動販売機本体１０の前面を開閉するようになっている。また、外扉４０の背面側には、外縁部に沿って自動販売機本体１０の前面開口部内に延出するように扉補強部材４１が設けられている。
【００２６】
連結機構５０は、本体側連結部材５１と、扉側連結部材５２と、連結軸５３とからなり、扉側連結部材５２の一端側は扉補強部材４１に固定されている。扉側連結部材５２の他端側は扉補強部材４１の後端部から本体側連結部材５１の軸受部５１ａに向かって延びるように形成されるとともに、端部を円筒状に曲げることにより軸受部５２ａが形成されている。また、扉側連結部材５２の軸受部５２ａの中心と外扉４０の背面との距離Ｂ1 は本体側連結部材５１の軸受部５１ａの中心と自動販売機本体１０の側面前端側との距離Ｂ2 よりも大きく形成されている。
【００２７】
以上のように構成された自動販売機において、外扉４０を開放すると、図８に示すように、扉側連結部材５２の軸受部５２ａの中心と外扉４０の背面との距離Ｂ1 は本体側連結部材５１の軸受部５１ａの中心と自動販売機本体１０の側面前端側との距離Ｂ2 よりも大きく形成されているので、自動販売機本体１０の側面前端と外扉４０の背面が接触することはない。また、扉側連結部材５２は扉補強部材４１の後端から本体側連結部材５１の軸受部５１ａに延びるように形成されているので、自動販売機本体１０の幅方向一端側開口縁と扉側連結部材５２とが接触するまで外扉４０を回動すると、自動販売機本体１０の前面はほぼ完全に開放され、商品の補充等の作業を行うことが可能となる。
【００２８】
このように、本実施形態の自動販売機によれば、外扉４０を開放方向に回動した際に自動販売機本体１０の幅方向一端側開口縁との当接を回避するように屈曲した扉側連結部材５２を介して外扉４０の幅方向一端側と自動販売機本体１０内に配置した連結軸５３とを連結したので、外扉４０の背面側と自動販売機本体１０の前面との間の隙間を塞ぐための扉補強部材４１に切り欠きを設けることなく自動販売機本体１０の前面をほぼ完全に開放することができ、不正行為を効果的に防止することができる。
【００２９】
また、扉側連結部材５２の軸受部５２ａの中心と外扉４０の背面との距離Ｂ1 は本体側連結部材５１の軸受部５１ａの中心と自動販売機本体１０の側面前端側との距離Ｂ2 よりも大きく形成されているので、自動販売機本体１０の前面はほぼ完全に開放するように外扉４０を回動させることができ、メンテナンスまたは商品の補充等の作業を効率的に行うことができる。
【図面の簡単な説明】
【００３０】
【図１】本発明の第１の実施形態を示す自動販売機の斜視図
【図２】外扉を開放した状態を示す自動販売機の斜視図
【図３】自動販売機の正面図
【図４】自動販売機の要部平面図
【図５】外扉を開放した状態を示す自動販売機の要部平面図
【図６】本発明の第２の実施形態を示す自動販売機の斜視図
【図７】自動販売機の要部平面図
【図８】外扉を開放した状態を示す自動販売機の要部平面図
【符号の説明】
【００３１】
１０…自動販売機本体、２０…外扉、３０…連結機構、３１…本体側連結部材、３２…扉側連結部材、３３…連結軸、４０…外扉、４１…扉補強部材、５０…連結機構、５１…本体側連結部材、５２…扉側連結部材、５３…連結軸。
【図１】
2005292916.tif 000003
【図２】
2005292916.tif 000004
【図３】
2005292916.tif 000005
【図４】
2005292916.tif 000006
【図５】
2005292916.tif 000007
【図６】
2005292916.tif 000008
【図７】
2005292916.tif 000009
【図８】
2005292916.tif 000010